(57)【要約】【課題】応答性を確保しつつ異音が生じることのない音量調整装置を提供すること。【解決手段】入力されたデジタル音声信号に利得係数を乗算して出力する乗算器、及び、この乗算器の利得係数を外部からの利得指示信号に基づいて変更する利得係数処理部を具備してなる音量調整装置において、入力されたデジタル音声信号の連続する複数のデータ点を比較して単調減少点及び単調増加点を検出する単調減少／増加検出部を設け、前記利得係数処理部では、前記単調減少点又は単調増加点と検出された点で、利得調整を行ったときに１つ前のデータ点との間で音量レベルの大小関係が変動しないように予め設定された利得調整幅だけ前記利得係数を増大又は減衰させて乗算器に出力する。【選択図】図１
2007274442.tif 000002
【特許請求の範囲】
【請求項１】
入力されたデジタル音声信号に利得係数を乗算して出力する乗算器、及び、この乗算器の利得係数を外部からの利得指示信号に基づいて変更する利得係数処理部を具備してなる音量調整装置において、入力されたデジタル音声信号の連続する複数のデータ点を比較して単調減少点及び単調増加点を検出する単調減少／増加検出部を設け、前記利得係数処理部では、前記単調減少点又は単調増加点と検出された点で、利得調整を行ったときに１つ前のデータ点との間で音量レベルの大小関係が変動しないように予め設定された利得調整幅だけ前記利得係数を増大又は減衰させて乗算器に出力することを特徴とする音量調整装置。
【請求項２】
入力されたデジタル音声信号に利得係数を乗算して出力する乗算器、及び、この乗算器の利得係数を外部からの利得指示信号に基づいて変更する利得係数処理部を具備してなる音量調整装置において、入力されたデジタル音声信号の連続する複数のデータ点を比較して単調減少点及び単調増加点を検出する単調減少／増加検出部、及び、入力されたデジタル音声信号の連続する２点のデータを比較してゼロクロス点を検出するゼロクロス検出部を設け、前記利得係数処理部では、前記単調減少点、単調増加点又はゼロクロス点と検出された点で、利得調整を行ったときに１つ前のデータ点との間で音量レベルの大小関係が変動しないように予め設定された利得調整幅だけ前記利得係数を増大又は減衰させて乗算器に出力することを特徴とする音量調整装置。
【請求項３】
入力されたデジタル音声信号に利得係数を乗算して出力する乗算器、及び、この乗算器の利得係数を外部からの利得指示信号に基づいて変更する利得係数処理部を具備してなる音量調整装置において、入力されたデジタル音声信号の連続する複数のデータ点を比較して単調減少点及び単調増加点を検出する単調減少／増加検出部、及び、入力されたデジタル音声信号の連続する２点のデータを比較してゼロクロス点を検出するゼロクロス検出部を設け、前記利得係数処理部では、前記単調減少点又は単調増加点と検出された点で、利得調整を行ったときに１つ前のデータ点との間で音量レベルの大小関係が変動しないように予め設定された利得調整幅だけ前記利得係数を増大又は減衰させて乗算器に出力し、また、前記ゼロクロス点と検出された点において、前記単調減少点又は単調増加点の場合の利得調整幅よりも大きな利得調整幅で前記利得係数を増大又は減衰させて乗算器に出力することを特徴とする音量調整装置。
【請求項４】
前記単調減少／増加検出部は、入力デジタル音声信号の連続する３点のデータが徐々に減少している場合の２点目であって予め設定された利得調整幅分だけ利得を大きくしたとしても１つ前のデータ点よりも大きくならない点を単調減少点として検出し、入力デジタル音声信号の連続する３点のデータが徐々に増加している場合の２点目であって予め設定された利得調整幅分だけ利得を小さくしたとしても１つ前のデータ点よりも小さくならない点を単調増加点として検出するようにしたことを特徴とする請求項１乃至３記載の音量調整装置。
【発明の詳細な説明】
【技術分野】
【０００１】
本発明は、テレビやオーディオなどの音量調整において、デジタル信号処理により再生音量を調整する音量調整装置に関するものである。
【背景技術】
【０００２】
従来より、デジタル信号処理により再生音量を調整する音量調整装置として、様々なものが提案されてきた。音量調整を行う場合、音声信号の波形の途中でゲインを変更すると、その点で波形が不連続となって異音発生の原因となってしまう。例えば、図４（ａ）に示すように、正弦波状の波形の途中でゲインを小さく変更すると、その点で波形が不連続（音量レベルの大小関係が変動してしまった状態）となって歪な波形となってしまい、これが異音の原因となってしまう。そこで、一般的に音量調整を行う場合には、調整時の異音を避けるために音声信号のゼロクロスを検出し、このゼロクロス点でゲインを変更することで、異音の発生しない音量調整を実現していた。
【０００３】
このように、ゼロクロスを検出して音量調整を行う従来技術は多数存在し、例えば、特許文献１に記載の利得可変装置が挙げられる。この特許文献１に記載の利得可変装置は、ゼロクロスを検出して利得調整を行うものであるが、ゼロクロス検出時だけで利得変換を行うと応答性が鈍くなるという問題があることから、再生周波数帯域の下限周波数からタイムアウト時間を設定して、このタイムアウト時間を下限周波数の正弦波を仮定した場合のゼロクロス間隔と定めて、ゼロクロス検出時又はタイムアウト時間経過時のタイミングで利得調整を行うようにしたものである。
【特許文献１】特開平０９−２９８４３１号公報
【発明の開示】
【発明が解決しようとする課題】
【０００４】
この特許文献１では、タイムアウト時間を設定して音量調整時の応答性を確保しているが、タイムアウト時間経過時をゼロクロスと仮定して処理を行っているものであるため、基本的にゼロクロスのみの処理と同様である。この処理は、１ステップあたりのゲインの調整幅が大きくなってしまい、その調整が異音の原因となってしまう恐れがあるという問題点がある。例えば、図５（ａ）に示すように、ゼロクロスの点で大きな調整幅でゲインを増大させると、波形自体は連続性を保っているにもかかわらず、その調整点を異音と感じてしまうという問題がある。
【０００５】
このように、波形の途中でゲインを変更すると図４（ａ）のような異音の原因となることから、ゼロクロス時を検出してゲイン調整を行うことで波形の歪みを防止して異音を防いでいたが、例えば、入力信号が20Hzの場合には25msもの待機時間がかかり、応答性に問題が生じる。また、ゼロクロス時にゲインを変更する場合でも大きな調整幅でゲインを増大させると図５（ａ）に示すような異音の原因となってしまうという問題もある。
【０００６】
本発明は、上記問題点に鑑みなされたものであり、応答性を確保しつつ異音が生じることのない音量調整装置を提供することを目的とするものである。
【課題を解決するための手段】
【０００７】
本発明の請求項１は、入力されたデジタル音声信号に利得係数を乗算して出力する乗算器、及び、この乗算器の利得係数を外部からの利得指示信号に基づいて変更する利得係数処理部を具備してなる音量調整装置において、入力されたデジタル音声信号の連続する複数のデータ点を比較して単調減少点及び単調増加点を検出する単調減少／増加検出部を設け、前記利得係数処理部では、前記単調減少点又は単調増加点と検出された点で、利得調整を行ったときに１つ前のデータ点との間で音量レベルの大小関係が変動しないように予め設定された利得調整幅だけ前記利得係数を増大又は減衰させて乗算器に出力することを特徴とする音量調整装置である。
【０００８】
本発明の請求項２は、入力されたデジタル音声信号に利得係数を乗算して出力する乗算器、及び、この乗算器の利得係数を外部からの利得指示信号に基づいて変更する利得係数処理部を具備してなる音量調整装置において、入力されたデジタル音声信号の連続する複数のデータ点を比較して単調減少点及び単調増加点を検出する単調減少／増加検出部、及び、入力されたデジタル音声信号の連続する２点のデータを比較してゼロクロス点を検出するゼロクロス検出部を設け、前記利得係数処理部では、前記単調減少点、単調増加点又はゼロクロス点と検出された点で、利得調整を行ったときに１つ前のデータ点との間で音量レベルの大小関係が変動しないように予め設定された利得調整幅だけ前記利得係数を増大又は減衰させて乗算器に出力することを特徴とする音量調整装置である。
【０００９】
本発明の請求項３は、入力されたデジタル音声信号に利得係数を乗算して出力する乗算器、及び、この乗算器の利得係数を外部からの利得指示信号に基づいて変更する利得係数処理部を具備してなる音量調整装置において、入力されたデジタル音声信号の連続する複数のデータ点を比較して単調減少点及び単調増加点を検出する単調減少／増加検出部、及び、入力されたデジタル音声信号の連続する２点のデータを比較してゼロクロス点を検出するゼロクロス検出部を設け、前記利得係数処理部では、前記単調減少点又は単調増加点と検出された点で、利得調整を行ったときに１つ前のデータ点との間で音量レベルの大小関係が変動しないように予め設定された利得調整幅だけ前記利得係数を増大又は減衰させて乗算器に出力し、また、前記ゼロクロス点と検出された点において、前記単調減少点又は単調増加点の場合の利得調整幅よりも大きな利得調整幅で前記利得係数を増大又は減衰させて乗算器に出力することを特徴とする音量調整装置である。
【００１０】
本発明の請求項４は、請求項１乃至３に加えて、前記単調減少／増加検出部は、入力デジタル音声信号の連続する３点のデータが徐々に減少している場合の２点目であって予め設定された利得調整幅分だけ利得を大きくしたとしても１つ前のデータ点よりも大きくならない点を単調減少点として検出し、入力デジタル音声信号の連続する３点のデータが徐々に増加している場合の２点目であって予め設定された利得調整幅分だけ利得を小さくしたとしても１つ前のデータ点よりも小さくならない点を単調増加点として検出するようにしたことを特徴とする音量調整装置である。
【発明の効果】
【００１１】
請求項１記載の発明によれば、単調減少点又は単調増加点と検出された点で、利得調整を行ったときに１つ前のデータ点との間で音量レベルの大小関係が変動しないように予め設定された利得調整幅だけ前記利得係数を増大又は減衰させて乗算器に出力するようにしたので、波形の途中であっても利得調整を開始出来るため応答性が確保され、また、それぞれの点での利得の調整幅は１つ前のデータ点との間で音量レベルの大小関係が変動しない小さなものとすれば（例えば、±0.1dB）、利得調整後の波形が歪なものとなって異音発生の原因となることがない。
【００１２】
請求項２記載の発明によれば、単調減少点、単調増加点又はゼロクロス点と検出された点で、利得調整を行ったときに１つ前のデータ点との間で音量レベルの大小関係が変動しないように予め設定された利得調整幅だけ前記利得係数を増大又は減衰させて乗算器に出力するようにしたので、波形の途中であっても利得調整を開始出来るため応答性が確保され、また、それぞれの点での利得の調整幅は１つ前のデータ点との間で音量レベルの大小関係が変動しない小さなものとすれば（例えば、±0.1dB）、利得調整後の波形が歪なものとなって異音発生の原因となることがない。また、ゼロクロス点においても利得調整を可能にした。
【００１３】
請求項３記載の発明によれば、単調減少点又は単調増加点と検出された点で、利得調整を行ったときに１つ前のデータ点との間で音量レベルの大小関係が変動しないように予め設定された利得調整幅だけ前記利得係数を増大又は減衰させて乗算器に出力し、また、前記ゼロクロス点と検出された点において、前記単調減少点又は単調増加点の場合の利得調整幅よりも大きな利得調整幅で前記利得係数を増大又は減衰させて乗算器に出力するようにしたので、波形の途中であっても利得調整を開始出来るため応答性が確保され、また、それぞれの点での利得の調整幅は１つ前のデータ点との間で音量レベルの大小関係が変動しない小さなものとすれば（例えば、±0.1dB）、利得調整後の波形が歪なものとなって異音発生の原因となることがない。また、ゼロクロス点においては、単調減少点及び単調増加点での利得調整幅よりも大きな利得調整幅（例えば、±1.0dB）で調整することで、より応答性の高い利得調整を可能にしている。
【００１４】
請求項４記載の発明によれば、前記単調減少／増加検出部は、入力デジタル音声信号の連続する３点のデータが徐々に減少している場合の２点目であって予め設定された利得調整幅分だけ利得を大きくしたとしても１つ前のデータ点よりも大きくならない点を単調減少点として検出し、入力デジタル音声信号の連続する３点のデータが徐々に増加している場合の２点目であって予め設定された利得調整幅分だけ利得を小さくしたとしても１つ前のデータ点よりも小さくならない点を単調増加点として検出するようにしたので、利得調整を行ったとしても波形が急激に変化することが無い点のみを検出することができ、異音の発生を未然に防止することができる。
【発明を実施するための最良の形態】
【００１５】
本発明による音量調整装置は、入力されたデジタル音声信号に利得係数を乗算して出力する乗算器、及び、この乗算器の利得係数を外部からの利得指示信号に基づいて変更する利得係数処理部を具備してなる音量調整装置において、入力されたデジタル音声信号の連続する複数のデータ点を比較して単調減少点及び単調増加点を検出する単調減少／増加検出部を設け、前記利得係数処理部では、前記単調減少点又は単調増加点と検出された点で、利得調整を行ったときに１つ前のデータ点との間で音量レベルの大小関係が変動しないように予め設定された利得調整幅だけ前記利得係数を増大又は減衰させて乗算器に出力することを特徴とするものであり、さらに、前記単調減少／増加検出部は、入力デジタル音声信号の連続する３点のデータが徐々に減少している場合の２点目であって予め設定された利得調整幅分だけ利得を大きくしたとしても１つ前のデータ点よりも大きくならない点を単調減少点として検出し、入力デジタル音声信号の連続する３点のデータが徐々に増加している場合の２点目であって予め設定された利得調整幅分だけ利得を小さくしたとしても１つ前のデータ点よりも小さくならない点を単調増加点として検出するようにしたことを特徴とするものである。
以下、図面に基づいて実施例の説明を行う。
【実施例１】
【００１６】
本発明による音量調整装置１０の構成を図１に基づいて説明する。この図１において、音源１１から入力されたアナログ音声信号は、Ａ／D変換器１２によってデジタル信号に変換され、ＤＳＰ（デジタル・シグナル・プロセッサ）１３に入力される。ＤＳＰ１３では、信号の利得が変更されて、その後D／Ａ変換器１４においてアナログ信号に変換された後、ローパスフィルタ１５及び増幅器１６を介してスピーカ１７に出力される。また、利得指示器１８からの利得変更を指示する信号が制御部１９に入力され、制御部１９からＤＳＰ１３に利得指示信号が送られる。この制御部１９は、ＤＳＰ１３全体を制御するものであり、例えば、マイコンなどで構成される。
【００１７】
前記ＤＳＰ１３は、単調減少／増加検出部２０、利得係数処理部２１、及び、乗算器２２からなる。単調減少／増加検出部２０は、入力信号の単調減少点及び単調増加点を検出するためのものであり、検出結果を利得係数処理部２１に出力する。利得係数処理部２１では、単調減少点及び単調増加点を検出したタイミングで乗算器２２の利得係数を変更する処理を行う。乗算器２２では、入力信号に利得係数を乗算した後にD／Ａ変換器１４に出力する。
【００１８】
前記単調減少／増加検出部２０は、前記Ａ／D変換器１２から出力されたデジタル音声信号の連続する３つのサンプリングデータの大小比較を行うとともに、ゲイン調整を行ったとしても音量レベルの大小関係が変動しないための条件を満たすか否かを調べ、単調減少点又は単調増加点の条件を満たすデータ点を検出する。具体的には、連続する３つのサンプリングデータを入力の順にＡ、Ｂ、Ｃとすると、Ａ＞Ｂ＞Ｃならば単調減少点、Ａ＜Ｂ＜Ｃならば単調増加点といえるが、ゲイン調整後に波形が歪んで１つ前のデータ点との間で音量レベルの大小関係が変動してしまうことを防ぐために、それぞれ±0.1dBのゲイン調整をしても大小関係が変動しないための条件を付加する。つまり、±0.1dBのゲイン調整に相当する係数をｋとして、以下の条件を満たした場合のみＢ点をそれぞれ単調減少点又は単調増加点として検出する。
単調減少点：Ａ＞Ｂ＞Ｃ    かつ    Ａ−Ｂ×（１＋ｋ）＞０    ・・・（１）
単調増加点：Ａ＜Ｂ＜Ｃ    かつ    Ｂ×（１−ｋ）−Ａ＞０    ・・・（２）
【００１９】
上記（１）の条件は、３つのデータが単調減少である場合においてＢ点のデータに仮に＋0.1dBのゲイン調整（（1＋ｋ）の乗算）を行っても1つ前のＡ点のデータよりも大きくならない場合にのみ、Ｂ点を単調減少点として検出するものであり、上記（２）の条件は、３つのデータが単調増加である場合においてＢ点のデータに仮に−0.1dBのゲイン調整（（１−ｋ）の乗算）を行っても1つ前のＡ点のデータよりも小さくならない場合にのみ、Ｂ点を単調増加点として検出するものである。このようにして単調減少点又は単調増加点を検出した場合には、後段の利得係数処理部２１に出力する。
【００２０】
前記利得係数処理部２１は、単調減少点又は単調増加点を検出したタイミングで乗算器２２の利得係数を変更する処理を行う。先ず、前記利得指示器１８からの利得変更を指示する信号が制御部１９に入力され、制御部１９からこの利得係数処理部２１に利得指示信号が送られると、利得係数処理部２１では指示された利得変換量を保持（例えば、ルックアップテーブルに格納）する。そして、前記単調減少／増加検出部２０から単調減少点又は単調増加点の検出信号が入力されると、予め設定した利得の変化量、例えば、0.1dBの変化量だけ利得を増加又は減少させる。このように、単調減少点又は単調増加点の検出の度に0.1dBずつ利得を増加又は減少させて、その都度乗算器２２の利得係数を変更する処理を行う。そして、利得指示器１８から指示された利得変換量に到達した段階で、利得係数の変更を終了する。
【００２１】
前記乗算器２２は、前記Ａ／D変換器１２から出力されたデジタル音声信号に対して前記利得係数処理部２１によって設定された利得係数を乗算して、後段のD／Ａ変換器１４に出力する。この乗算器２２の利得係数は、利得係数処理部２１によって書換えられるものであり、書換えられるまでは同一の利得係数を保持して乗算処理を行い、書換え後は新たな利得係数を保持して乗算処理を行う。
【００２２】
次に、図１に示す本発明の音量調整装置１０の動作について説明する。
ユーザが利得指示器１８によって音量調整を行うと、制御部１９から利得係数処理部２１に利得指示信号が送られる。例えば、ユーザが−5dBの操作を行ったとすると、これが利得係数処理部２１に格納される。利得係数処理部２１では、単調減少／増加検出部２０からの単調減少点又は単調増加点の検出信号が入力されたタイミングで、0.1dBだけ減衰させた利得係数を乗算器２２に出力する。このように、単調減少点又は単調増加点の検出の度に0.1dBずつ利得を減少させていき、50箇所で−0.1dBの処理を行って合計−5dBに到達した段階で利得係数の変更処理を終了する。利得を増大させる場合においても、同様に、0.1dBずつ処理することとなる。
【００２３】
図４（ｂ）に示すのは、本発明によって音量調整した場合を表した波形図である。この図４（ｂ）からも分かるように、利得変更開始から少しずつ利得を減衰させていくことで、波形の連続性（音量レベルの大小関係を維持した状態）を保ったまま利得調整を行うことが出来る。利得調整を行うデータ点は、単調減少／増加検出部２０において上記（１）又は（２）の条件を満たした単調減少点又は単調増加点であるため、利得調整処理を行ったとしても波形が不連続（音量レベルの大小関係が変動してしまう状態）となることがない。ここで、図４（ａ）と（ｂ）は同一量の利得減衰量となっているが、（ａ）では一箇所で急激に減衰させているために波形が不連続となってしまい異音と感じるが、（ｂ）では少しずつ減衰させているために波形が保たれて異音の原因とならない。
【００２４】
図４では、比較し易いように正弦波の半波長内で同じ利得調整幅となるようにしたが、実際に0.1dBずつ調整を行う場合には半波長内で処理が終了するとは限らず、幾つかの波形にまたがって処理が継続されることもあり得る。つまり、図５（ｂ）に示すように、徐々に利得が増大していくことになる。このため、図５（ａ）の例では、ゼロクロス時に大きな調整幅で利得を変換することによって異音が生じてしまっていたが、本発明では図５（ｂ）に示すように、徐々に利得が増大するため、異音の原因とならない。当然、利得を減少させる場合においても同様である。
【００２５】
以上のように、本発明による音量調整装置１０では、従来ゼロクロス時のみで利得調整を行う場合の応答性の問題や急激な利得変化による異音の問題を解消するために、波形の途中においても利得調整を開始するようにし、この際に、利得調整を行っても１つ前のデータ点との間で音量レベルの大小関係が変動しない単調減少点又は単調増加点を検出して、その点で少しずつ（例えば、±0.1dB）利得調整を行うようにしたので、応答性を確保しつつ、波形が不連続となることによる異音及び急激な利得変化による異音が共に発生することのない音量調整を実現することが可能となった。
【実施例２】
【００２６】
前記実施例１では、単調減少／増加検出部２０において単調減少点又は単調増加点を検出して、この点で利得調整を行うように構成していたが、本発明はこれに限られるものではない。例えば、図２に示すように、ゼロクロス検出部２３を設けて、ゼロクロス時にも利得調整を行うようにしてもよい。なお、図２において図１と同様の構成部分には、同一符号を付して説明は省略する。
【００２７】
前記ゼロクロス検出部２３は、前記Ａ／D変換器１２から出力されたデジタル音声信号の連続する２つのサンプリングデータを用いて、その点がゼロクロスであるか否かを検出する。具体的には、連続する２つのサンプリングデータを入力の順にＡ、Ｂとして、これらの積が０以下である場合のＢ点をゼロクロス点として検出する。
ゼロクロス点  ：  Ａ×Ｂ≦０      ・・・（３）
すなわち、Ｂ点がゼロレベルである時又はＡＢ間でゼロレベルを交差する時をゼロクロス点として検出することで、ゼロクロス点に幅を持たせている。
【００２８】
このゼロクロス検出部２３での検出結果は、前記単調減少／増加検出部２０の検出結果とともにＯＲ回路２４に入力され、ＯＲ回路２４の出力が利得係数処理部２１に入力される。このような構成とすることで、単調減少点及び単調増加点に加えて、ゼロクロス点も検出して利得調整が可能となる。
【実施例３】
【００２９】
前記実施例２では、ＯＲ回路２４を用いることで単調減少点及び単調増加点とゼロクロス点とを区別せずに利得調整を行っていたが、これらを区別して異なる調整量で利得調整を行うようにしてもよい。この場合、図３に示すように、前記単調減少／増加検出部２０の検出結果と前記ゼロクロス検出部２３での検出結果をそれぞれ利得係数処理部２５に入力し、利得係数処理部２５においてこれらの信号を区別して異なる調整量で利得調整を行う。
【００３０】
前記利得係数処理部２５では、例えば、単調減少／増加検出部２０からの検出結果の場合には、実施例１の場合と同様に、0.1dBずつ調整を行うようにし、前記ゼロクロス検出部２３からの検出結果の場合には、単調減少点及び単調増加点の場合よりも大きな調整幅でかつ異音の原因とならない範囲の調整幅、例えば、1.0dBずつ調整を行うようにする。このような構成とすることで、異音の発生を防止しつつ、より応答性の高い音量調整が可能となる。
【００３１】
前記実施例では、波形の途中においても利得調整を開始するようにし、この際に、利得調整を行っても１つ前のデータ点との間で音量レベルの大小関係が変動しない単調減少点又は単調増加点を検出して、その点で±0.1dBの利得調整を行うようにしたが、この±0.1dBというのはあくまで一例であり、これに限定されるものではない。例えば、±0.05dBでもよいし±0.2dBでもよく、その他適宜設定可能なものであり、このような場合には、単調減少点又は単調増加点の検出条件である前記式（１）及び（２）における定数ｋの値もそれぞれに合わせて調整する必要がある。
【図面の簡単な説明】
【００３２】
【図１】本発明の実施例１による音量調整装置の構成を表したブロック図である。
【図２】本発明の実施例２による音量調整装置の構成を表したブロック図である。
【図３】本発明の実施例３による音量調整装置の構成を表したブロック図である。
【図４】（ａ）は、波形の途中でゲインを変更することで異音の原因となる様子を表した波形図であり、（ｂ）は、本発明による方法で波形の途中でゲインを変更した様子を表した波形図である。
【図５】（ａ）は、ゼロクロス時に大きな調整幅で利得を変換することによって異音が生じてしまう様子を表した波形図であり、（ｂ）は、本発明による方法でゲインを変更した様子を表した波形図である。
【符号の説明】
【００３３】
１０…音量調整装置、１１…音源、１２…Ａ／Ｄ変換器、１３…ＤＳＰ、１４…Ｄ／Ａ変換器、１５…ＬＰＦ、１６…増幅器、１７…スピーカ、１８…利得指示器、１９…制御部、２０…単調減少／増加検出部、２１…利得係数処理部、２２…乗算器、２３…ゼロクロス検出部、２４…ＯＲ回路、２５…利得係数処理部。
【図１】
2007274442.tif 000003
【図２】
2007274442.tif 000004
【図３】
2007274442.tif 000005
【図４】
2007274442.tif 000006
【図５】
2007274442.tif 000007